(57)【要約】【課題】常温に戻るまでに比較的長時間の保温効果が期待でき、蓋を取り外す場合、蓋が内圧により飛び跳ねるように外れる恐れのない蓋付き保温カップを提供すること。【解決手段】内側容器１と、この内側容器１との間に真空の空間２を有して内側容器１と一体に設けられた把手可能な外側容器３とにより構成され、内側容器１の上部内周面の嵌合部４に雌ねじ５が設けられた容器部６と、内側容器１に嵌合されると共に螺合される雄ねじ部８および挿し込み部９を有する内側蓋部１０を備えていると共に、内側蓋部１０に嵌合される外側蓋部１１を備え、かつ内側蓋部１０に、外側蓋部１１の透孔１２に間隙を介して上下動可能な押しボタン１４の下部杆体１５がシール材１６を介して係止されていると共に内側蓋部１０と押しボタン１４との間にばね１７が介在されている２重蓋１８とを備えている。【選択図】        図２
2004276921.tif 000002
【特許請求の範囲】
【請求項１】
飲み物が入れられる内側容器と、この内側容器との間に真空の空間を有して内側容器と一体に設けられた把手可能な外側容器とにより構成され、前記内側容器の上部内周面の嵌合部に雌ねじが設けられた飲み物を入れる容器部と、前記容器部に嵌合されると共に螺合される２重蓋とを備えている蓋付き保温カップであって、前記２重蓋は、前記内側容器に嵌合されると共に螺合される雄ねじ部付きの挿し込み部を有する内側蓋部を備えていると共に、前記内側蓋部に嵌合される外側蓋部を備え、かつ前記内側蓋部の下面に、外側蓋部の透孔に間隙を介して上下動可能な押しボタンの下部杆体の下部がシール材を介して係止されていると共に前記内側蓋部と押しボタンとの間にばねが介在されて、押しボタンを常時押し上げるように付勢されて、前記シール材により密封するように構成されていることを特徴とする蓋付き保温カップ。
【請求項２】
前記２重蓋は、中央部に押しボタンガイド用の貫通孔を有すると共に真空の空間を有する環状の２重蓋とされていることを特徴とする請求項１に記載の蓋付き保温カップ。
【発明の詳細な説明】
【０００１】
【産業上の利用分野】
本発明は、暖かい飲み物を入れても冷めにくく、冷たい飲み物を入れても温まりにくい、携帯用にも便利な蓋付き保温カップに関する。
【０００２】
【従来の技術】
従来、蓋付き保温カップとしては、保温カップの上部に合成樹脂製等の蓋材を取り付けた形態の蓋付き保温カップ（例えば、特許文献１参照。）が知られている。
【０００３】
【特許文献１】
特開平０７−９５９０７号公報
【０００４】
【発明が解決しようとする課題】
前記従来の場合は、蓋が一重で蓋の断熱性が高くないので、蓋下面側での容器内での空気対流および蓋上面側での空気対流が生じるため、蓋側の保温性能が比較的低く、比較的短時間（２時間以内位）で飲み物が常温に戻るという欠点がある。また、蓋と容器の密封性を高くした場合には、高温状態の飲み物では、内部の圧力が高まるため、排気手段がない蓋では、蓋を取り外す場合、蓋が内圧により飛び跳ねるように外れる恐れがある。
【０００５】
本発明は、常温に戻るまでに比較的長時間（５時間位以上）の保温効果が期待でき、蓋を取り外す場合、蓋が内圧により飛び跳ねるように外れる恐れのない蓋付き保温カップを提供することを目的とする。
【０００６】
【課題を解決するための手段】
第１発明の蓋付き保温カップでは、飲み物が入れられる内側容器と、この内側容器との間に真空の空間を有して内側容器と一体に設けられた把手可能な外側容器とにより構成され、前記内側容器の上部内周面の嵌合部に雌ねじが設けられた飲み物を入れる容器部と、前記容器部に嵌合されると共に螺合される２重蓋とを備えている蓋付き保温カップであって、前記２重蓋は、前記内側容器に嵌合されると共に螺合される雄ねじ部付きの挿し込み部を有する内側蓋部を備えていると共に、前記内側蓋部に嵌合される外側蓋部を備え、かつ前記内側蓋部の下面に、外側蓋部の透孔に間隙を介して上下動可能な押しボタンの下部杆体の下部がシール材を介して係止されていると共に前記内側蓋部と押しボタンとの間にばねが介在されて、押しボタンを常時押し上げるように付勢され、前記シール材により密封するように構成されていることを特徴とする。
【０００７】
また、第２発明では、第１発明の蓋付き保温カップにおいて、前記外蓋は、中央部に押しボタンガイド用の貫通孔を有すると共に真空の空間を有する環状の外蓋とされていることを特徴とする。
【０００８】
本発明の蓋付き保温カップによると、常温に戻るまでに比較的長時間（５時間位以上）の保温効果が期待でき、蓋を取り外す場合、事前に内圧を大気圧に低下させることができるため、蓋が内圧により飛び跳ねるように外れる恐れがない蓋付き保温カップとすることができる。
【０００９】
【発明の実施の形態】
次に本発明の蓋付き保温カップを図示の実施形態に基づいて詳細に説明する。
【００１０】
図１〜図５は、本発明の蓋付き保温カップの一実施形態を示すものであって、飲み物が入れられる金属製の内側容器１と、この内側容器１との間に真空の空間２を有して内側容器１と一体に設けられた把手可能な外側容器３とによりコップ状の容器本体６ａが構成され、かつ前記内側容器１の上部内周面の嵌合部４に雌ねじ５が設けられて、飲み物を入れる容器部６が構成されている。前記容器部６の下部に、ステンレス製等の上向き開口凹溝状の金属製脚座７が嵌合等により固定されている。
【００１１】
前記容器部６における前記内側容器１の上部に、２重蓋１８の下部が着脱可能にねじ込まれる構造とされている。前記の２重蓋１８の下部には、前記容器部６の上部内側に嵌合されると共に螺合される雄ねじ部８付きの挿し込み部９を有する有底段付き筒状の合成樹脂製内側蓋部１０を備えていると共に、前記内側蓋部１０の上部は、前記挿し込み部９に一体に連設された環状段部１０に続いて外側を凹凸面とした大径の環状握り部２２を備え、その環状握り部２２の内側に嵌合されるステンレス製の中空環状の外側蓋部１１を備えている。
【００１２】
前記外側蓋部１１の中空内は真空の空間２１とされ、断熱性を高めた外側蓋部１１とされ、環状の外側蓋部１１と内側蓋部１０との２重蓋１８とされている。また、前記外側蓋部１１の中央部には、上下方向に押しボタンガイド用の貫通した透孔１２が設けられており、透孔１２の内周面は、その内周面内側に配置される押しボタン１４の傾倒を防止しこれをガイドする支承面とされている。
【００１３】
前記内側蓋部１０の底板２３の中央部には貫通した透孔１０ｂが設けられ、前記透孔１０ｂの下面には、外側蓋部１１の透孔１２に間隙１３を介して上下動可能に装着される押しボタン１４の下部杆体１５が前記透孔１０ｂに挿通されていると共に、その下部杆体１５の頭部２４が合成樹脂製の環状板からなるシール材１６を介して係止されている。
【００１４】
さらに説明すると、円柱状の押しボタン１４の内側には、雌ねじ孔２５が設けられ、その雌ねじ孔２５に、頭部２４を下向きにした小ねじからなる下部杆体１５がねじ込み固定されている。
【００１５】
また、前記内側蓋部１０の底板２３と押しボタン１４との間に圧縮コイルばね１７が介在され、前記押しボタン１４が常時押し上げられるように付勢されて、頭部２４を介してシール材１６を底板２３の下面に圧着させ、底板２３の透孔１０ｂを塞いで密封するように構成されている２重蓋１８とされ、前記容器部６と前記２重蓋１８とを備えている蓋付き保温カップ１９が構成されている。
【００１６】
前記内側蓋部１０の下部外周面には、環状の溝２６が設けられ、その環状の溝２６には、Ｏリング２７が嵌合されている。前記容器部６の上端部内周面には、内側下方に向かって円弧状に傾斜するガイド面２８が設けられて、２重蓋１８を挿し込みやすいようにガイド可能とされている飲み口とされている。
【００１７】
前記の容器部６の上部内周面の内径寸法よりも、内側蓋部１０の挿し込み部９の外形寸法は若干小さく設定され、また、前記Ｏリング２７の外径寸法は対応する容器部６の内径寸法よりも若干大きく設定されている。
【００１８】
また、容器部６の上端部は、直接、金属製の外側蓋部１１に接触する構造とされていないので、金属を介していないため熱伝達を低下させ、保温性を高めることができる。また、容器部６と２重蓋部１８がねじ込み式の着脱自在連結構造とされているので、飲み物が入った状態で、蓋付き保温カップを落としても、容器部６内の高温の飲み物が、蓋付き保温カップ外にこぼれて、周囲を汚す恐れを排除することができる。
【００１９】
このように構成された２重蓋１８とされているので、容器部６内に高温状態のコーヒー等の飲み物が入った状態で２重蓋１８を容器部６に螺合すると共に嵌合された状態の蓋付き保温カップ１９では、容器部６内の内圧が高められるが、飲む直前に押しボタン１４を図２に矢印で示すように押込むと、下部杆体１５が押し下げられて、シール材１６の中央部透孔またはシール材１６と底板２３との隙間および底板２３の透孔１０ｂ並びに押しボタン１４と外側蓋部１１の透孔１２から、蒸気または熱気が排出され、容器部６内の内圧を大気圧にすることができる。このように、大気圧状態で２重蓋１８を開けるべく、環状握り部２２を回動しても、容器部６内の内圧により、２重蓋１８が飛び外れることはなく、２重蓋１８を容易に開けることができる。
【００２０】
また、本発明の蓋付き保温カップは、保温性のあるアウトドア用品としても、充分効用を果たすことができる。
【００２１】
本発明を実施する場合、押しボタン１４を押し上げるように付勢し、シール材１６により内側蓋底部下面との密封を図る手段としては、下部杆体１５を引っ張り上げるように付勢するばね等の手段に置き換えてもよい。
【００２２】
【発明の効果】
本発明によると、飲み物が入れられる内側容器と、この内側容器との間に真空の空間を有して内側容器と一体に設けられた把手可能な外側容器とにより構成され、前記内側容器の上部内周面の嵌合部に雌ねじが設けられた飲み物を入れる容器部と、前記容器部に嵌合されると共に螺合される２重蓋とを備えている蓋付き保温カップであって、前記２重蓋は、前記内側容器に嵌合されると共に螺合される雄ねじ部および挿し込み部を有する内側蓋部を備えていると共に、前記内側蓋部に嵌合される外側蓋部を備え、かつ前記内側蓋部に、外側蓋部の透孔に間隙を介して上下動可能な押しボタンの下部杆体がシール材を介して係止されていると共に前記内側蓋部と押しボタンとの間にばねが介在されて、押しボタンを常時押し上げるように付勢されて、前記シール材により密封するように構成されているので、断熱性が高く、容器部内に高温状態の飲み物を入れても、常温に戻るまでに比較的長時間の保温効果がある。また、単に押しボタンを押すことにより、容器部内の内圧を大気圧にさげることができるので、高温の飲み物が入った状態で、蓋を取り外す場合には、蓋が内圧により飛び跳ねるように外れる恐れのない蓋付き保温カップとすることができる。
【００２３】
また、２重蓋を、中央部に押しボタンガイド用の貫通孔を有すると共に真空の空間を有する環状の２重蓋とすると、さらに蓋側の断熱性を高め、保温効果を高めることができる。
【図面の簡単な説明】
【図１】本発明の一実施例に係る蓋付き保温カップの斜視図である。
【図２】本発明の本発明の一実施例に係る蓋付き保温カップの縦断正面図である。
【図３】本発明の本発明の一実施例に係る蓋付き保温カップを容器と蓋に分解して示す縦断正面図である。
【図４】蓋の平面図である。
【図５】蓋の底面図である。
【図６】容器の平面図である。
【符号の説明】
１  内側容器
２  真空の空間
３  外側容器
４  嵌合部
５  雌ねじ
６  容器部
６ａ  容器本体
７  脚座
８  雄ねじ部
９  挿し込み部
１０  内側蓋部
１０ａ  環状段部
１０ｂ  透孔
１１  外側蓋部
１２  透孔
１３  間隙
１４  押しボタン
１５  下部杆体
１６  シール材
１７  ばね
１８  ２重上部蓋
１９  保温カップ
２０  押しボタンガイド用の貫通孔
２１  真空の空間
２２  環状握り部
２３  底板
２４  頭部
２５  雌ねじ孔
２６  環状の溝
２７  Ｏリング
２８  ガイド面
【図１】
2004276921.tif 000003
【図２】
2004276921.tif 000004
【図３】
2004276921.tif 000005
【図４】
2004276921.tif 000006
【図５】
2004276921.tif 000007
【図６】
2004276921.tif 000008